(57)【要約】【課題】  ＡＶ機器やパソコンなどに用いられるＤＶＤ装置などの記録再生装置に関し、光ヘッドの移動を案内するシャフトと光ディスクとの相対位置を調整するシャフト位置調整手段を備えることにより、調整幅を広げ、装置の薄型化を可能とする記録再生装置を提供する。【解決手段】  光ヘッド７０の移動を案内するシャフト４０と、これらを組み付け、開口部２１ａを設けたシャーシ２１に螺着した調整ネジ６０と、この調整ネジ６０の頭部６１の裏側と当接する前記シャフト４０の細径部４４とを押し付けるように付勢するねじりバネ５０を設け、前記調整ネジ６０によってシャフト４０の上下位置を調整する。細径部４４の段差分相当は調整幅が広くなり、且つ頭部６１の高さを低く抑え、開口部２１ａにシャフト４０の太径部を入り込み可能にしてシャフト４０の位置を低くすることを可能とした。【選択図】      図１
2006244560.tif 000002
【特許請求の範囲】
【請求項１】
回転する光ディスクの記録面に対して半径方向に平行移動して情報の記録再生を行う光ヘッドと、この光ヘッドの平行移動を案内するシャフトと、このシャフトを組み付けるシャーシと、このシャーシに螺着した調整ネジと、この調整ネジに前記シャフトを押し付けるように付勢する付勢手段とを設け、前記調整ネジによって前記シャフトの上下位置を調整するように構成したシャフト位置調整手段を備える記録再生装置において、前記シャフトには、前記調整ネジとの当接部分に位置して段差凹部を設けたことを特徴とするシャフト位置調整手段を備える記録再生装置。
【請求項２】
前記調整ネジの頭部の裏側に前記シャフトの段差凹部を当接させたことを特徴とする請求項１記載のシャフト位置調整手段を備える記録再生装置。
【請求項３】
前記調整ネジの先端部に前記シャフトの段差凹部を当接させたことを特徴とする請求項１記載のシャフト位置調整手段を備える記録再生装置。
【発明の詳細な説明】
【技術分野】
【０００１】
本発明は、ＡＶ（Ａｕｄｉｏ  Ｖｉｓｕａｌ）機器やパソコン（Ｐｅｒｓｏｎａｌ  Ｃｏｍｐｕｔｅｒ）などに用いられるＤＶＤ装置、及びＣＤ装置やＭＤ装置などの記録再生装置或いは記録装置または再生装置に関し、光ヘッドの移動を案内するシャフトと光ディスクとの相対位置を調整可能なシャフト位置調整手段を備える記録再生装置に関する。
【背景技術】
【０００２】
従来から、光ディスクなどの記録媒体へ情報の記録再生を行う記録再生装置において、光ヘッドの移動を案内するシャフトの位置調整法として、図７に示すように、押し上げるように付勢されたシャフト４０の端部４３を、シャーシ２１に螺着する調整ネジ６０の頭部６１の裏側で抑え付け、調整ネジ６０を回転させることにより前記シャフト４０の位置を調整する。或いは、図８に示すように、シャーシ２１側に押し付ける方向に付勢されたシャフト４０の端部４３を、シャーシ２１に螺着する調整ネジ６０の先端６２が押し上げて、調整ネジ６０を回転させることによりシャフト４０の位置を調整する方法が行われていた。
【０００３】
また、特許文献１には「光ディスク装置」などがあり、この従来技術によれば、シャフトの端部を一端で支持すると共に他端を中心に光ディスクの面にほぼ垂直な方向に回動可能な調整プレートと、シャフトと調整プレートとを光ディスクの面にほぼ垂直な方向に弾性付勢する弾性手段と、調整プレートに対して貫通状態でネジ合わされると共に、その先端がシャーシに当たることによって、シャフトと調整プレートとを弾性手段の弾性付勢力に抗して光ディスクの面にほぼ垂直な方向に変位させる調整ネジを配設する方法が提案されている。
【０００４】
【特許文献１】特開２００３−１８７５３８号公報
【発明の開示】
【発明が解決しようとする課題】
【０００５】
前述の従来技術において、押し上げるように付勢されたシャフト４０の端部４３を、シャーシ２１に螺着する調整ネジ６０の頭部６１の裏側で抑え付けてシャフト４０の位置を調整する構成においては、シャーシ２１と調整ネジ６０の頭部６１に挟まれた隙間の中でシャフト４０の太さ分を差し引いた値、即ちシャーシ２１とシャフト４０との距離ｘがシャフト４０の調整可能範囲ｘであり、また、調整ネジ６０の頭部６１もシャフト４０の太径部に当接しているため、調整ネジ６０の頭部６１が高く取り付けられている。また、シャーシ２１側に押し付ける方向に付勢されたシャフト４０の端部４３を、シャーシ２１に螺着する調整ネジ６０の先端６２が押し上げて調整する構成においては、シャーシ２１とシャフト４０との距離ｙがシャフト４０の調整可能範囲ｙとなる。また、調整ネジ６０の頭部６１もシャフト４０の太径部に当接しているため、シャーシ２１裏側の調整ネジ６０の頭部６１が長く突き出して取り付けられている。従って、これらの従来技術においては、シャフト４０の外径がシャーシ２１と接するまでの範囲しか調整可能範囲ｘ、ｙが得られず、また、調整ネジ６０の頭部６１も低く抑えることが出来ないことなどから、トラバースユニットの厚さを薄くする、及び記録再生装置を薄くすることの妨げとなっていた。また、特許文献１においては、シャフトを調整ネジの回転によって昇降させるためには、シャーシやシャフト、及び調整ネジや弾性付勢する弾性手段の１つである付勢部材のほかに、別体の調整プレートを取り付けることが必要となるといった問題がある。
【０００６】
そこで本発明は、前記課題に鑑みてなされたものであり、部品点数を増やすことなくシャフトの調整可能範囲を増やすか、或いは、シャフトの調整可能範囲を従来のままとした場合は装置の厚さを薄くすることが出来るシャフト位置調整手段を備える記録再生装置を提供することを目的とする。
【課題を解決するための手段】
【０００７】
請求項１のシャフト位置調整手段を備える記録再生装置は、回転する光ディスクの記録面に対して半径方向に平行移動して情報の記録再生を行う光ヘッドと、この光ヘッドの平行移動を案内するシャフトと、このシャフトを組み付けるシャーシと、このシャーシに螺着した調整ネジと、この調整ネジに前記シャフトを押し付けるように付勢する付勢手段とを設け、前記調整ネジによって前記シャフトの上下位置を調整するように構成したシャフト位置調整手段を備える記録再生装置において、前記シャフトには、前記調整ネジとの当接部分に位置して段差凹部を設けたことを特徴とする。
【０００８】
請求項１の構成によれば、回転する光ディスクの記録面に対して半径方向に平行移動して情報の記録再生を行う光ヘッドと、この光ヘッドの平行移動を案内するシャフトと、このシャフトを組み付けるシャーシと、このシャーシに螺着した調整ネジと、この調整ネジに前記シャフトを押し付けるように付勢する付勢手段とが設けられ、前記調整ネジによって前記シャフトの上下位置を調整するように構成されたシャフト位置調整手段を備える記録再生装置において、前記シャフトには、前記調整ネジとの当接部分に位置して段差凹部が設けられる。
【０００９】
請求項２のシャフト位置調整手段を備える記録再生装置は、請求項１記載のシャフト位置調整手段を備える記録再生装置において、前記調整ネジの頭部の裏側に前記シャフトの段差凹部を当接させたことを特徴とする。
【００１０】
請求項２の構成によれば、前記調整ネジの頭部の裏側に前記シャフトの段差凹部が当接される。
【００１１】
請求項３のシャフト位置調整手段を備える記録再生装置は、請求項１記載のシャフト位置調整手段を備える記録再生装置において、前記調整ネジの先端部に前記シャフトの段差凹部を当接させたことを特徴とする。
【００１２】
請求項３の構成によれば、前記調整ネジの先端部に前記シャフトの段差凹部が当接される。
【発明の効果】
【００１３】
請求項１の発明によれば、回転する光ディスクの記録面に対して半径方向に平行移動して情報の記録再生を行う光ヘッドと、この光ヘッドの平行移動を案内するシャフトと、このシャフトを組み付けるシャーシと、このシャーシに螺着した調整ネジと、この調整ネジに前記シャフトを押し付けるように付勢する付勢手段とが設けられ、前記調整ネジによって前記シャフトの上下位置を調整するように構成されたシャフト位置調整手段を備える記録再生装置において、前記シャフトには、前記調整ネジとの当接部分に位置して段差凹部が設けられることにより、シャフトの段差分だけ調整ネジの頭部を低い位置で取り付けることが出来る。また、シャフト径が太い部分の下方に当たるシャーシ部分を開口部とすれば、シャフトの段差分はシャフト径が太い部分をシャーシの肉厚側に入り込ませることが出来る。従って、シャフト自体の高さを低くすることが出来ると共に前記調整可能範囲を広くすることが出来る。これにより、従来技術においては、シャフトの外径がシャーシと接するまでの範囲しか調整可能範囲ｘ、ｙが得られず、また、調整ネジの頭部も低く抑えることが出来ないことなどから、トラバースユニットの厚さを薄くする、及び記録再生装置を薄くすることの妨げとなっていたが、シャフトに段差凹部を形成することで部品点数を増やすことなくシャフトの調整可能範囲を増やすか、或いは、シャフトの調整可能範囲を従来のままとした場合は装置の厚さを薄くすることが出来るシャフト位置調整手段を備える記録再生装置を得ることが出来る。
【００１４】
請求項２の発明によれば、前記調整ネジの頭部の裏側に前記シャフトの段差凹部を当接させることにより、トラバースユニットのシャフトは付勢手段によってシャフトを押し付けるように付勢されると共に、シャーシに螺着した調整ネジの頭部の裏側によってシャフトを押し付けて保持することが出来る。
【００１５】
請求項３の発明によれば、前記調整ネジの先端部に前記シャフトの段差凹部を当接させることにより、トラバースユニットのシャフトは付勢手段によってシャフトを押し付けるように付勢されると共に、シャーシに螺着した調整ネジの先端部によってシャフトを押し付けて保持することが出来る。
【発明を実施するための最良の形態】
【００１６】
以上のように、本発明は、ＡＶ機器やパソコンなどに用いられるＤＶＤ装置などの記録再生装置に関し、光ディスクと光ヘッドの移動を案内するシャフトとの相対位置を調整可能なシャフト位置調整手段において、部品点数を増やすことなくトラバースユニットの厚さを薄くすることを可能とするものであるが、以下の実施例の説明においては、実施例１はＤＶＤ装置における調整ネジの頭部でシャフトの段差凹部に当接する実施例について示し、実施例２は調整ネジの先端部でシャフトの段差凹部に当接する実施例について示している。これらの実施例についての詳細を以下に説明する。
【００１７】
以下、本発明を実施するための最良の形態としての実施例を図１〜図９により以下に説明する。もちろん、本発明は、その発明の趣旨に反さない範囲で、実施例において説明した以外のものに対しても容易に適用可能なことは説明を要するまでもない。
【実施例１】
【００１８】
先ず、ＤＶＤ装置におけるディスクトレーとトラバースユニットについて図９により説明する。図９に示すディスクユニット１２は、ＤＶＤディスク１１を載置して装置内に搬送するディスクトレー１３があり、このディスクトレー１３は移動可能に配置される。また、ディスクユニット１２の上部には前記ディスクトレー１３によって搬入されたＤＶＤディスク１１を回転可能に挟持するクランパ１４が配置されている。前記ディスクユニット１２の下方からトラバースユニット２０が組み込まれるが、このトラバースユニット２０には、シャーシ２１に第１のシャフト４１と第２のシャフト４２が平行配置され、これらシャフト４１、４２に保持された光ヘッド７０が摺動可能に取り付けられている。この光ヘッド７０にはＤＶＤディスク１１に情報を記録する、或いはＤＶＤディスク１１に記録された情報を再生するための対物レンズ７２が配置されている。また、前記シャーシ２１の前方にＤＶＤディスク１１を回転駆動するスピンドルモータ１５が、その上方にはＤＶＤディスク１１を載置して回転させるターンテーブル１６がそれぞれ配置されている。これにより、図示しないこのＤＶＤ装置はＤＶＤディスク１１をターンテーブル１６に載置して、クランパ１４で挟持されながら、スピンドルモータ１５の駆動によって回転し、前記シャフト４１、４２に案内されて、光ヘッド７０がＤＶＤディスク１１の半径方向に平行移動しながらＤＶＤディスク１１への記録再生を行う。
【００１９】
続いて図１は、本発明における実施例１を示す段差凹部を形成したシャフトをシャーシに螺着した調整ネジの頭部で保持して取りつけた状態を示すトラバースユニットの部分拡大側断面図である。図１において、２１は図９に示すトラバースユニット２０のシャーシであり、２１ａはシャフト４０の下方に開口した開口部である。このシャーシ２１には調整ネジ６０を螺着しており、この調整ネジ６０の頭部６１の裏側にはシャフト４０の端部４３に形成した細径部４４が当接している。このシャフト４０には図示しないバネが前記調整ネジ６０の頭部６１の裏側に押し付けるように付勢している。
【００２０】
図１において、Ｘはシャーシ２１の平面からシャフト４０の細径部４４の下側までの距離であり、調整ネジ６０を螺進したときに前記細径部４４の下側がシャーシ２１の平面に接するまでのシャフト４０高さの調整可能範囲を示している。この調整可能範囲Ｘは図７における調整可能範囲ｘより細径部４４を形成する段差寸法分だけシャフト４０の高さを低く抑えることが出来る。また、Ａは前記細径部４４の上側とシャフト４０の上側との段差寸法であり、従来例に比較して、この段差寸法Ａの長さ分だけ調整ネジ６０の頭部６１の高さを低くすることが出来る。
【００２１】
続いて、図２は実施例において、段差凹部を形成したシャフトをシャーシに螺着した調整ネジの頭部で保持して取りつけたトラバースユニットの構成を示す平面図である。図２において、このトラバースユニット２０は、シャーシ２１の左右に前後方向へ延びた第１シャフト４１と第２シャフト４２が平行配置され、各々のシャフト４１、４２の一端は支持部２４に嵌入して支持されている。また、これらのシャフト４１、４２の他端は保持部２５に形成された溝２５ａに挿嵌して横方向位置を保持している。また、このシャーシ２１には左後方に光ヘッド７０の平行移動を行うための駆動モータ３０が配置され、その駆動軸３１には原動歯車３２が配置されている。この原動歯車３２は第１の中間歯車３３、第２の中間歯車３４、第３の中間歯車３５によって回転速度が減速され、ピニオンギアである従動歯車３６によってラック３７の直線駆動力に変換される。これにより、ラック３７と連結する光ヘッド７０は、光ヘッド７０の左右に配置されたガイド部７１にガイドされ、ガイド部７１がシャフト４１、４２に沿って摺動することにより、前記ラック３７の直線駆動力によってシャフト４１、４２の軸線方向に移動することが出来る。
【００２２】
次に図３は、図２におけるａ−ａ断面図であり、図２及び図３により、本実施例のシャフト位置調整手段によるシャフトを保持する保持部の構成について説明する。図２と図３における第１シャフト４１と第２シャフト４２、及びこれらを保持する保持部２５の構成は同じものであり、これらのシャフト４１、４２の他端には段差凹部となる細径部４４が形成され、保持部２５のシャーシ２１に螺着された調整ネジ６０の頭部６１によって前記細径部４４を上方から押さえ込むようにしている。一方、それぞれの保持部２５にはシャーシ２１の一部を切り起こした係合部２３に係合してねじりバネ５０が取り付けられており、ねじりバネ５０の一方の腕部５３がシャーシ２１に切り欠いた係止部２２に係止され、他方の腕部５３はシャフト４１、４２の細径部４４を下方から付勢してシャフト４１、４２の細径部４４を調整ネジ６０の頭部６１の裏側に押し付けるようにしている。これにより、それぞれのシャフト４１、４２は保持部２５の溝２５ａで横方向位置を保持され、細径部４４を調整ネジ６０の頭部６１に当接し、下方からねじりバネ５０によってシャフト４０の細径部４４を調整ネジ６０の頭部６１の裏側に押し付けるように付勢されるので、前記調整ネジ６０を回すことにより、第１シャフト４１と第２シャフト４２のそれぞれを個別に上下方向位置を調整することが出来る。
【００２３】
以上の実施例１により、回転するＤＶＤディスク１１の記録面に対して半径方向に平行移動して情報の記録再生を行う光ヘッド７０と、この光ヘッド７０の平行移動を案内する第１シャフト４１、第２シャフト４２と、このシャフト４１、４２を組み付けるシャーシ２１と、このシャーシ２１に螺着した調整ネジ６０と、この調整ネジ６０に前記シャフト４１、４２を押し付けるように付勢するねじりバネ５０による付勢手段とが設けられ、前記調整ネジ６０によって前記シャフト４１、４２の上下位置を調整するように構成されたシャフト位置調整手段を備えるＤＶＤ装置において、前記シャフト４１、４２には、前記調整ネジ６０との当接部分に位置して細径部４４による段差凹部が設けられることにより、シャフト４１、４２の段差寸法Ａ分だけ調整ネジ６０の頭部６１を低い位置で取り付けることが出来る。また、シャフト４１、４２の径が太い部分の下方に当たるシャーシ２１部分を開口部２１ａとすれば、シャフト４１、４２の段差寸法Ａ分はシャフト４１、４２の径が太い部分をシャーシ２１の肉厚側に入り込ませることが出来る。従って、シャフト４１、４２自体の高さを低くすることが出来ると共に、前記調整可能範囲ｘをＸに広くすることが出来る。これにより、従来技術においては、シャフト４０の外径がシャーシ２１と接するまでの範囲しか調整可能範囲ｘが得られず、また、調整ネジ６０の頭部６１も低く抑えることが出来ないことなどから、トラバースユニット２０の厚さを薄くする、及び図示しないＤＶＤ装置を薄くすることの妨げとなっていたが、シャフト４０に段差凹部である細径部４４を形成することで部品点数を増やすことなくシャフト４１、４２の調整可能範囲Ｘを増やすか、或いは、シャフト４１、４２の調整可能範囲Ｘを従来のままとした場合は、ＤＶＤ装置の厚さを薄くすることが出来る。
【実施例２】
【００２４】
次に、図４から図６により実施例２について説明する。実施例２は調整ネジの先端部をシャフトの段差凹部に当接する実施例であり、図４は本発明における実施例２を示す段差凹部を形成したシャフトをシャーシに螺着した調整ネジの先端部で保持して取りつけた状態を示すトラバースユニットの部分拡大側断面図であり、図５は段差凹部を形成したシャフトをシャーシに螺着した調整ネジの頭部で保持して取りつけたトラバースユニットの構成を示す平面図である。また、図６は図５におけるｂ−ｂ断面図である。
【００２５】
図４において、２１はシャーシであり、２１ａはシャフト４０の下方に開口した開口部である。このシャーシ２１には調整ネジ６０が螺着しており、この調整ネジ６０の先端部６２にはシャフト４０の端部４３に形成した細径部４４が当接している。このシャフト４０には図示しないバネが前記調整ネジ６０の先端部６２に押し付けるように付勢している。
【００２６】
図４において、Ｙはシャーシ２１の平面からシャフト４０の細径部４４の下側までの距離であり、調整ネジ６０を螺退したときに前記細径部４４の下側がシャーシ２１の平面に接するまでのシャフト４０高さの調整可能範囲を示している。この調整可能範囲Ｙは図８における調整可能範囲ｙより細径部４４を形成する段差寸法分だけシャフト４０の高さを低く抑えることが出来る。また、Ｂは前記細径部４４の下側とシャフト４０の下側との段差寸法であり、従来例に比較して、この段差寸法Ｂの長さ分だけ調整ネジ６０の頭部６１の高さを低くすることが出来る。
【００２７】
次に、図５により段差凹部を形成したシャフトをシャーシに螺着した調整ネジの先端部で保持して取りつけたトラバースユニットの構成について説明する。このトラバースユニット２０は、シャーシ２１の左右に前後方向へ延びた第１シャフト４１と第２シャフト４２が平行配置され、各々のシャフト４１、４２の一端は支持部２４に嵌入して支持されている。また、これらのシャフト４１、４２の他端は保持部２５に形成された溝２５ａに挿嵌して横方向位置を保持している。また、このシャーシ２１には右後方に光ヘッド７０の平行移動を行うための駆動モータ３０が配置され、その駆動軸３１には原動歯車３２が配置されている。この原動歯車３２は第１の中間歯車３３、第２の中間歯車３４、第３の中間歯車３５によって回転速度が減速され、ピニオンギアである従動歯車３６によってラック３７の直線駆動力に変換される。これにより、ラック３７と連結する光ヘッド７０は、光ヘッド７０の左右に配置されたガイド部７１にガイドされ、ガイド部７１がシャフト４１、４２に沿って摺動することにより、前記ラック３７の直線駆動力によってシャフト４１、４２の軸線方向に移動することが出来る。
【００２８】
次に図６は、図５におけるｂ−ｂ断面図であり、図５及び図６により、本実施例のシャフト位置調整手段によるシャフトを保持する保持部の構成について説明する。図５と図６における第１シャフト４１と第２シャフト４２、及びこれらを保持する保持部２５の構成は同じものであり、これらのシャフト４１、４２の他端には段差凹部となる細径部４４が形成されている。また、前記保持部２５のシャーシ２１にはシャーシ２１の裏側から螺着された調整ネジ６０の先端部６１によって前記細径部４４を下方から押し上げるようにしている。一方、それぞれの保持部２５にはシャーシ２１には引っ張りバネ５１の一方の腕部５３が係止され、他方の腕部５３はシャフト４１、４２に挿通して取り付けられている。これにより、シャフト４１、４２の細径部４４を上方から付勢してシャフト４１、４２の細径部４４を調整ネジ６０の先端部６２に押し付けるようにしている。これにより、それぞれのシャフト４１、４２は保持部２５の溝２５ａで横方向位置を保持され、細径部４４を調整ネジ６０の先端部６２に当接し、上方から引っ張りバネ５１によってシャフト４０の細径部４４を調整ネジ６０の先端部６２に押し付けるように付勢されるので、前記調整ネジ６０を回すことにより、第１シャフト４１と第２シャフト４２のそれぞれを個別に上下方向位置を調整することが出来る。
【００２９】
以上の実施例２により、回転するＤＶＤディスク１１の記録面に対して半径方向に平行移動して情報の記録再生を行う光ヘッド７０と、この光ヘッド７０の平行移動を案内する第１シャフト４１、第２シャフト４２と、このシャフト４１、４２を組み付けるシャーシ２１と、このシャーシ２１にシャーシ２１の裏側から螺着した調整ネジ６０と、この調整ネジ６０に前記シャフト４１、４２を押し付けるように付勢する引っ張りバネ５１による付勢手段とが設けられ、前記調整ネジ６０によって前記シャフト４１、４２の上下位置を調整するように構成されたシャフト位置調整手段を備えるＤＶＤ装置において、前記シャフト４１、４２には、前記調整ネジ６０との当接部分に位置して細径部４４による段差凹部が設けられることにより、シャフト４１、４２の段差寸法Ｂ分だけ調整ネジ６０の頭部６１をシャーシ２１の裏側の低い位置で取り付けることが出来る。また、シャフト４１、４２の径が太い部分の下方に当たるシャーシ２１部分を開口部２１ａとすれば、シャフト４１、４２の段差寸法Ｂ分はシャフト４１、４２の径が太い部分をシャーシ２１の肉厚側に入り込ませることが出来る。従って、シャフト４１、４２自体の高さを低くすることが出来るので前記調整可能範囲ｙをＹに広くすることが出来る。これにより、従来技術においては、シャフト４０の外径がシャーシ２１と接するまでの範囲しか調整可能範囲ｙが得られず、また、調整ネジ６０の頭部６１も低く抑えることが出来ないことなどから、トラバースユニット２０の厚さを薄くする、及びＤＶＤ装置を薄くすることの妨げとなっていたが、シャフト４０に段差凹部である細径部４４を形成することで部品点数を増やすことなくシャフト４１、４２の調整可能範囲Ｙを増やすか、或いは、シャフト４１、４２の調整可能範囲Ｙを従来のままとした場合は、ＤＶＤ装置の厚さを薄くすることが出来る。
【００３０】
以上、本実施例を詳述したが、本発明の要旨の範囲内で種々の変形実施が可能である。例えば、記録再生装置はＤＶＤ装置に限定されず、ＣＤ装置やＭＤ装置、或いはＤＶＤとＨＤＤとの複合機、及び、これらと表示モニタが組み合わされた装置、ＤＶＤ装置を内蔵するパソコンなど、平行するシャフトに案内されて光ヘッド７０が移動しながらＤＶＤディスク１１やＣＤディスク、ＭＤディスクなどに記録或いは再生する記録再生装置であればよく、また、光ヘッド７０を案内するシャフト４０の端部４３に形成する段差凹部は先端が円周方向にわたり一様に細い細径部４４に限らず、調整ネジ６０との当接部のみが細く終端が元の太径部であるくびれ構造や、平面的に切り欠いて形成する段差など、調整ねじが当接するシャフトに段差凹部を配置されることが可能な状態であれば段差凹部の形成方法を変更するなど、適宜選定すればよい。
【図面の簡単な説明】
【００３１】
【図１】本発明の実施例１における段差凹部を形成したシャフトをシャーシに螺着した調整ネジの頭部で保持して取りつけた状態を示すトラバースユニットの部分を拡大した側断面説明図である。
【図２】本発明における段差凹部を形成したシャフトをシャーシに螺着した調整ネジの頭部で保持して取りつけたトラバースユニットの構成を示す平面説明図である。
【図３】本発明における段差凹部を形成したシャフトをシャーシに螺着した調整ネジの頭部で保持して取りつけたトラバースユニットを示す正面断面説明図である。
【図４】本発明における実施例２を示す段差凹部を形成したシャフトをシャーシに螺着した調整ネジの先端部で保持して取りつけた状態を示すトラバースユニットの部分を拡大した側断面説明図である。
【図５】本発明の段差凹部を形成したシャフトをシャーシに螺着した調整ネジの先端部で保持して取りつけたトラバースユニットの構成を示す平面説明図である。
【図６】本発明における段差凹部を形成したシャフトをシャーシに螺着した調整ネジの先端部で保持して取りつけたトラバースユニットを示す正面断面説明図である。
【図７】従来のトラバースユニットにおける調整ネジの頭部がシャフトと当接するシャフトの保持構造を示す側断面説明図である。
【図８】従来のトラバースユニットにおける調整ネジの先端部がシャフトと当接するシャフトの保持構造を示す側断面説明図である。
【図９】ＤＶＤ装置におけるディスクユニットにＤＶＤディスクを搬送するディスクトレーとトラバースユニットを組み込む状態を示す斜視説明図である。
【符号の説明】
【００３２】
１１        ＤＶＤディスク
２１        シャーシ
４０        シャフト
４４        細径部
５０        ねじりバネ
５１        引っ張りバネ
６０        調整ネジ
６１        頭部
６２        先端部
７０        光ヘッド
【図１】
2006244560.tif 000003
【図２】
2006244560.tif 000004
【図３】
2006244560.tif 000005
【図４】
2006244560.tif 000006
【図５】
2006244560.tif 000007
【図６】
2006244560.tif 000008
【図７】
2006244560.tif 000009
【図８】
2006244560.tif 000010
【図９】
2006244560.tif 000011